(57)【要約】【課題】複数の人が同時に通話可能なシステムを用いる場合において、利用者と対話者が円滑に対話業務を進められるようにすること。【解決手段】  少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者表示手段を備え、対話者表示手段の候補から利用者が対話者を選択する手段と、利用者と対話者を通話可能にする手段とを備えた。【選択図】        図３
2007184802.tif 000002
【特許請求の範囲】
【請求項１】
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者表示手段を備え、
対話者表示手段の候補から利用者がアクセス可能な対話者を選択する手段と、
利用者と対話者を通話可能にする手段と
を備えたことを特徴とするＰ２Ｐ技術を応用した複数の人が同時に通話可能な音声通話手段を用いたＷｅｂ上の自動案内システム。
【請求項２】
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、
対話者表示手段の候補から利用者が対話者を選択する手段と、
利用者と対話者を通話可能にする手段と、
利用者と選択された対話者との接続が行われている間は、インターフェイス上で、
対話者をログオフ状態として表示する手段と
を備えたことを特徴とするＰ２Ｐ技術を応用した複数の人が同時に通話可能な音声通話手段を用いたＷｅｂ上の自動案内システム。
【請求項３】
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、
対話者のプロフィールのデータベースと、
インターフェイスにログインしている対話者のプロフィールを検索して表示する対話者検索手段を備え、
対話者表示手段の候補から利用者が対話者を選択する手段と、
利用者と対話者を通話可能にする手段と
を備えたことを特徴とするＰ２Ｐ技術を応用した複数の人が同時に通話可能な音声通話手段を用いたＷｅｂ上の自動案内システム。
【請求項４】
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、
対話者のプロフィールのデータベースと、
対話者のプロフィールのジャンルを分けて、インターフェイスに表示する対話者
表示手段を備え、
対話者の中から入力した条件を満たす対話者を検索する検索手段と、
対話者表示手段の候補から利用者が対話者を選択する手段と、
利用者と対話者を通話可能にする手段と
を備えたことを特徴とするＰ２Ｐ技術を応用した複数の人が同時に通話可能な音声通話手段を用いたＷｅｂ上の自動案内システム。
【請求項５】
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、
利用者が利用者情報を登録可能な利用者データベースと、
対話者のスキルを登録可能な対話者スキルのデータベースとを備えると共に、
利用者がインターネットを介してログインできるログイン手段と、ログインした利用者に対して対話者データベースの中で、通話可能な対話者の候補を前記インターフェイスに表示する対話者選択手段を備え、
対話者が選ばれて接続が開始されてからの時間を計時して前記Ｗｅｂ上のインターフェイスに表示する計時手段を備えたことを特徴とするＰ２Ｐ技術を応用した複数の人が同時に通話可能な音声通話手段を用いたＷｅｂ上の自動案内システム。
【請求項６】
請求項５において、この計時時間に応じて課金するように構成すると共に、計時してから一定時間は課金しないように構成したことを特徴とするＷｅｂ上の自動案内システム。
【請求項７】
請求項１〜４において、利用者は予め定めた期間にシステムにログインできるように構成するとともに、そのログインした期間を基に課金するように構成したことを特徴とするＷｅｂ上の自動案内システム。
【請求項８】
請求項１〜７において、利用者の対話者に対する評価手段を設け、その評価と連動して、インターフェイスに表示する対話者の表示順序を入れ替える手段を備えたことを特徴とする対話者の自動案内システム。
【請求項９】
請求項１〜７において、通話した会話をＷｅｂまたは利用者の端末に、データとして蓄積するように構成した対話者の自動案内システム。
【請求項１０】
請求項１〜７において、対話者へのアクセス数をカウントし、そのカウント数と連動して、インターフェイスに表示する対話者の表示順序を入れ替える手段を備えたことを特徴とする対話者の自動案内システム。
【請求項１１】
請求項１〜７において、利用者が気に入った対話者をお気に入りとして保存する手段を備えたことを特徴とする対話者の自動案内システム。
【請求項１２】
請求項１〜７において、利用者の発言を音声認識によりテキスト化した利用者情報、あるいは、利用者が端末から入力した利用者情報を対話者に開示する手段を備えたことを特徴とする対話者の自動案内システム。
【発明の詳細な説明】
【技術分野】
【０００１】
本発明は、いわゆるインターネット電話を利用した対話サービスのシステムに関する。
【背景技術】
【０００２】
例えば「Ｓｋｙｐｅ（ＴＭ）」と呼ばれる、Ｐ２Ｐ技術を応用した複数の人が同時に通話可能なシステムが登場している。
特開平１１−２８９３８９号公報においては、「ウェブ端末と、ウェブサーバと、前記ウェブサーバと情報の送受信を行う手段を有する相談ワークステーションと、前記ウェブ端末側と前記相談ワークステーション側間に設けられた１対の電話機とを備え、前記ウェブ端末に表示されたホームページまたはこのホームページから引き出されたページ内に相談員呼び出しキーを設け、この相談員呼び出しキーがクリックされたことを検出した前記ウェブサーバは前記相談ワークステーションへ相談員呼び出しが発生したことを通知することによって、前記ウェブ端末と前記ウェブサーバ間の通信路とは独立に前記１対の電話機の間に通話路を開設し通話可能ならしめたことを特徴とする相談システム。」が記載されている。
特開２００２−１６３３４８号公報においては、専門家リソースをネットワーク経由でクライアントに利用させるネットビジネスモデルが記載されている。
【特許文献１】特開平１１−２８９３８９号公報
【特許文献２】特開２００２−１６３３４８号公報
【発明の開示】
【発明が解決しようとする課題】
【０００３】
しかしながら、特開平１１−２８９３８９号公報においては、「相談員呼び出しキーがクリックされたことを検出したウェブサーバは相談ワークステーションへ相談員呼び出しが発生したことを通知することによって、ウェブ端末と前記ウェブサーバ間の通信路とは独立に１対の電話機の間に通話路を開設し通話可能ならしめた」ものであって、「１対の電話機の間に通話路を開設」することしか想定していない。従って、想定されている相談員を、常に通話可能な状態にしておかないと、利用者が相談したい時に対応できる相談員がいないため、ニーズに対応できないという不具合が頻繁に発生する怖れがあった。
また、特開２００２−１６３３４８号公報に開示されている技術思想は、インターネットを用いるという漠然としたアイデアに過ぎず、当業者が実施できるだけの具体性に欠ける。
【０００４】
しかしながら、本発明においては、ホームページにアクセスして登録さえ実施すれば対話者となることができる。ただし、対話を希望する利用者は、どこにアクセスすれば、適切な対話者を探せるのかが不明であり、また対話者もどこにアクセスすれば利用者（顧客）が得られるのかが不明確である不具合がある。また課金をどのように行うのかについても当事者間で円滑に進めることは難しい。本当に適切で通話可能な対話者を見つけようとした場合、単に「Ｓｋｙｐｅ（ＴＭ）」と呼ばれる、Ｐ２Ｐ技術を応用した複数の人が同時に通話可能なシステムを単に利用するだけでは、広大な海の底から宝箱を探すのに等しいくらい難しい現状がある。
（１）登録されている対話者のうち、利用者の希望した時に、誰が対話サービスに対応できるのか、通話可能なのかが分からない。
（２）いつから計時して、どのようにインターフェイス（ホームページ）上で表示するのか工夫が必要である。
（３）対話したい人のプロフィールやジャンルを検索したり調べたりすることができない。
（４）個人情報の保護という観点から見ても、直接の取引は好ましくない。
（５）外部から無差別に接続されてしまう不具合が発生する可能性がある。
（６）対話作業中の対話者に対して、複数の利用者のアクセスが発生するケースが考えられ、そうなると正常な対話業務が行えない。
（７）対話者と利用者が、２回目以降は直接に取引してしまい、中継システムの意味がなくなってしまう。特に、Ｐ２Ｐ技術を応用した複数の人が同時に通話可能なシステムの場合だと、中継システムなしでも、対話者と利用者を接続できてしまうため、この問題は深刻である。
（８）通話した内容を記録に残しておかないと、例えば検索などの後利用ができなくなり困ってしまう。
【０００５】
そこで本発明は、複数の人が同時に通話可能なシステムを用いる場合において、利用者と対話者が円滑に対話業務を進められるように、特に、Ｐ２Ｐ技術を応用した複数の人が同時に通話可能なシステムとインターフェイス（ホームページ）を連動させることによって、そのホームページから対話者を見つけることを提案する。
【課題を解決するための手段】
【０００６】
（１）上述の課題を解決するため、本発明は以下の構成を備えている。すなわち、少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者表示手段を備え、対話者表示手段の候補から利用者が対話者を選択する手段と、利用者と対話者を通話可能にする手段とを備えたものである。
【０００７】
（２）また、本発明は以下の構成を備えている。少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、対話者表示手段の候補から利用者が対話者を選択する手段と、利用者と対話者を通話可能にする手段と、利用者と選択された対話者との接続が行われている間はインターフェイス上で対話者をログオフ状態として表示する手段を備えたものである。
【０００８】
（３）さらに、本発明は以下の構成を備えている。
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、対話者のプロフィールのデータベースと、インターフェイスにログインしている対話者のプロフィールを検索して表示する対話者検索手段を備え、対話者表示手段の候補から利用者が対話者を選択する手段と、利用者と対話者を通話可能にする手段とを備えたものである。
【０００９】
（４）さらに、本発明は以下の構成を備えている。
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、対話者のプロフィールのデータベースと、対話者のプロフィールのジャンルを分けて、インターフェイスに表示する対話者表示手段を備え、対話者の中から入力した条件を満たす対話者を検索する検索手段と、対話者表示手段の候補から利用者が対話者を選択する手段と、利用者と対話者を通話可能にする手段とを備えたものである。
【００１０】
（５）さらに、本発明は以下の構成を備えている。
少なくとも１以上の利用者端末と少なくとも１以上の対話者端末とをインターネットを介して接続できるＷｅｂ上のインターフェイスと、Ｐ２Ｐ技術を応用した複数の人が同時に通話可能な音声通話手段を用いており、更にこのＷｅｂ上のインターフェイスにログインしてアクセス可能な対話者をインターフェイスに表示する対話者の一覧を表示する手段を備え、利用者が利用者情報を登録可能な利用者データベースと、対話者のスキルを登録可能な対話者スキルのデータベースとを備えると共に、利用者がインターネットを介してログインできるログイン手段と、ログインした利用者に対して対話者データベースの中で、通話可能な対話者の候補を前記インターフェイスに表示する対話者選択手段を備え、対話者が選ばれて接続が開始されてからの時間を計時して前記Ｗｅｂ上のインターフェイスに表示する計時手段を備えたものである。
【００１１】
（６）さらに、この計時時間に応じて課金するように構成すると共に、計時してから一定時間は課金しないように構成したものである。
（７）また、利用者が予め定めた期間にシステムにログインできるように構成するとともに、そのログインした期間を基に課金するように構成したものである。
（８）また、利用者の対話者に対する評価手段を設け、その評価と連動して、インターフェイスに表示する対話者の表示順序を入れ替える手段を備えたものである。
（９）また、通話した会話を蓄積するように構成することで、後に音声を認識してテキスト化し蓄積するように構成したものである。音声を認識してテキスト化する通話の範囲は、利用者が指定するように構成しても良い。
（１０）また、対話者へのアクセス数をカウントし、そのカウント数と連動して、インターフェイスに表示する対話者の表示順序を入れ替える手段を備えたものである。
（１１）また、利用者が気に入った対話者をお気に入りとして保存する手段を備えたものである。
（１２）利用者の発言を音声認識によりテキスト化した利用者情報、あるいは、利用者が端末から入力した利用者情報を対話者に開示する手段を備えたものである。
【発明の効果】
【００１２】
本発明は以下のような効果を奏する。
・Ｐ２Ｐ技術を応用した音声通話手段そのものは公知であるが、Ｐ２Ｐ技術を応用した音声通話手段とウェブとの連動はまだ発明されていない。本発明により、利用者においては、Ｐ２Ｐ技術を応用した音声通話ソフトよりも、むしろより汎用性のあるウェブ画面でアクティブかどうかが視覚的に示されていることになり、格別に便利にサービスを利用できるようになる。
・膨大なＰ２Ｐ技術を応用した音声通話手段によって流通する情報量の中から利用者は対話者を選択する必要があるが、そのホームページにアクセスしている人のプロフィールの検索手段を設けることにより、利用者と対話者との効率的なマッチングが簡単に行え、それにより時間的な手間と精神的ストレスから解放される。利用者は対話者のプロフィールを見て、対話者の持つ情報や知識を判断して対話を始めることができる。また、利用者、対話者は双方とも全国に広がっているので、利用者側からすると地域に関わらずに対話者を選ぶこともでき、便利である。対話者はなんらかの知識や経験をもっており、そういう人達のスキルを一手に集めて利用者に情報サービスを提供するシステムを構築できる。古いところでは電話帳がそれに当たるが、地域別に限定されてしまい、詳しいプロフィールや情報等が得られず、さらにすぐ情報が古くなってしまう。本発明はそれらの欠点を解決し、欲しいスキルを持った人を自由に検索して、アドバイスをもらえるシステムを提供できる。
・直接にサービスを提供するのではなく、対話システム上でサービスのやりとりをするので、個人情報が保護される。
・対話者が、外部から無差別に接続されてしまう不具合が発生しない。
・登録されている対話者のうち、利用者の希望した時に、誰が対話サービスに対応できるのかを明確に把握できるため、円滑な対話業務が行える。
・対話者と接続してから、計時してインターフェイス（ホームページ）上で計時情報を表示するので、利用者も対話者も安心して対話サービスが受けられる。
・計時した結果を一つの目安にして課金することで、利用者に対しては、仕事量に応じた合理的な課金が行え、また対話者には相応の報酬を提供できるようになる。もちろん、計時時間は目安にするだけで、実際の課金においては対話者のスキルも加味しても良い。
・対話者と利用者は、自動案内システムを経由して対話業務を行うので、２回目以降に直接に取引してしまうケースを減らすことができる。特に、対話者のＩＤを表示せずに自動案内システム側が用意したＩＤでログインしたように表示することで、直接取引を防止する効果が高くなる。
・ある利用者と登録者との通話が始まった場合、インターフェイス上でログオフ状態として表示しておかなければ、ログインしている別の利用者からの二重接続の可能性があり、利用者を混乱させる要因となる。対話作業中の対話者をログオフとして扱うよう構成すると、ひとりの対話者に対して、同時に複数の利用者のアクセスが発生することを回避できる。換言すると、対話作業中の対話者に対する別の利用者からの接続を回避でき、利用者全体に対して余計な混乱を起こさせずにすむ。
・計時してから一定時間は課金しないように構成すると、利用者の要求に対話者がマッチしているかを無償で試すことができ、適した対話者の提供が可能となる。
・ジャンル分けすることにより、利用者のシステムの利用パターンとして、まず興味のあるジャンルを想定し、一旦範囲を狭めることで更にそのジャンルの中の登録者を選択することができるようになる。すなわち、利用者にできるだけ負担をかけることなく希望する選択決定ができるよう促すことができる。
・また、案内システムにログインできるように構成するとともに、利用者は予め定めた期間にシステムにログインできるように構成するとともに、そのログインした期間を基に課金するように構成することにより、時間を気にすることなく案内システムを利用できる。
・通話した会話を蓄積するように構成すると、通話内容を記録し、テキスト認識させるなどして、後日に検索して利用できる。
・利用者の対話者に対する評価手段を設け、その評価と連動して、インターフェイスに表示する対話者の表示順序を入れ替えることにより、利用者が人気のある対話者を選びやすくなる。
・対話者へのアクセス数をカウントし、そのカウント数と連動して、インターフェイスに表示する対話者の表示順序を入れ替えることにより、利用者が利用実績のある対話者を選びやすくなる。
また、利用者が気に入った対話者をお気に入りとして保存する手段を備えることによって、利用者がお気に入りの対話者のアクセス状況をすぐに把握できるメリットがある。
また、利用者の発言を音声認識によりテキスト化した利用者情報、あるいは、利用者が端末から入力した利用者情報を対話者に開示することによって、通話がスムーズに行えるようになる。
【実施例１】
【００１３】
以下、本発明の実施の形態について図面を参照して説明する。  
【００１４】
図１は、システムの全体構成例を示す。１，２，３が対話を希望する利用者の端末である。例示するために３人の端末を示しただけで、もっと多数の利用者の端末が存在する。  ５は本発明に関する自動案内システムである。
６，７，８は専門知識が豊富な対話者の端末である。例示するために３人の端末を示しただけで、もっと多数の対話者の端末が存在する。この図１においては、利用者が利用者端末３を介して、顧客の端末９と通話したいと考えている状態を矢印で示した。利用者が対話者の自動案内システム５より案内される対話者のうち誰に依頼するのかは後述する。以降の図においては利用者の端末３により、対話者の端末７が選ばれる場合を想定して説明を行う。
【００１５】
なお、利用者は上述したように、端末を介して、例えば「Ｓｋｙｐｅ（ＴＭ）」と呼ばれるＰ２Ｐ技術を応用した複数の人が同時に通話可能なシステムを利用して仕事を進めることになる。注目していただきたいのは、利用者と選ばれた対話者は、対話者の自動案内システム５を経由してから、Ｐ２Ｐ技術を応用した複数の人が同時に通話可能なシステムに接続される点である。
ちなみに利用者端末と対話者端末は本発明の対話者の自動案内システム５を経由するが、利用者と他の顧客９と接続するのは、対話者の自動案内システム５を経由せずに、直接にＰ２Ｐ技術を応用した複数の人が同時に通話可能なシステムなどを用いて通話できるようになっている。
【００１６】
図３は、対話者の自動案内システム５を主に説明したものである。１０はＰ２Ｐ技術を応用した複数の人が同時に通話可能な音声通話ソフト（音声通話手段）である。
本発明の自動案内システム５は以下の構成を備えている。
・利用者が予め納付した対話料金を記憶する利用者予納金額データベース１１
・対話に対する報酬を支払える通話可能な残高があるかチェックする残高チェック手段１２
・利用に応じた対話の課金手段１３
といった支払いを司るシステムが用意されている。
【００１７】
また、本発明の自動案内システム５は以下の構成を備えている。
・利用者の氏名や業種や要求する対話スキルを記憶する利用者データベース１４
・利用者が自動案内システムを使用している時間を計時してインターフェイスに表示する計時手段１５
・利用者データベース１４に基づいて、利用者の情報を表示する利用者情報表示手段１７
といった利用者のログインに関連するシステムが用意されている。またＮで示したのは、利用者と対話者の通話を音声認識により、テキスト化して蓄積する手段である。
なお、利用者の情報を表示する利用者情報表示手段１７は、予め利用者データベース１４に登録されていない場合でも、利用者の発言を音声認識によりテキスト化した利用者情報、あるいは、利用者が端末から入力した利用者情報を対話者に開示するように構成しても良い。
なお、図示は省略したが、ＩＤを発行する手段を設け、Ｗｅｂ上から簡単にログインＩＤとパスワードと住所と支払い手段などをオンラインで登録できるように構成する。ただ、ログインＩＤとパスワードの発行はインターネットを利用して行うのが簡便だが、郵便や電子メールによりの単にＩＤを発行することも可能なので、本発明における必須の構成要件ではない。
なお、パスワードも発行するようにしているのは、第三者が勝手にＩＤを利用する事態を回避するためである。また支払い手段については、郵便や銀行の預金口座からの引き落としや、振込みにより予納できるようにしても良いし、クレジットカードで決済するようにしても良い。
【００１８】
さらに、本発明の自動案内システム５は以下の構成を備えている。
・対話者の自動案内システムのインターフェイス１８である。これは実際に運用される場合には、いわゆるホームページという形で提供される。
【００１９】
さらに、本発明の自動案内システム５は以下の構成を備えている。
・対話者の氏名やスキルなどを記憶する対話者データベース２０
・対話者のジャンル指定手段２１
・対話者の表示手段２２
・利用者が自動案内システムに対話者を選択可能な対話者選択手段２３
・利用者と対話者の端末を接続する対話者との接続手段２４
・対話者を前記対話者の自動案内システムのインターフェイス１８でログオフと表示させる手段２５
である。
なお、図示は省略したが、利用者が気に入った対話者をお気に入りとして保存する手段を備えているものである。
【００２０】
本発明の対話者の自動案内システム５は、上記の構成を備えているものである。従って、例えば利用者端末３は、自動案内システム５にログインするだけである。また、対話者端末７も同様に、自動案内システム５にログインするだけである。実質的には、利用者端末３と対話者端末７とは、（Ｐ２Ｐ技術を利用した）複数の人が同時に通話可能な音声通話ソフト１０によって接続されることになるのだが、その間に対話者の自動案内システム５が介在することになる。
なお、図１で示した顧客の端末９との接続は任意である。Ｐ２Ｐ技術を利用した複数の人が同時に通話可能な音声通話ソフト１０によって、例えば対話者７と利用者３の端末に直接に接続されることになる。
【００２１】
本発明の実施形態１におけるフローチャートを図４に示す。まずステップ１であるＳ１においては、利用者が自動案内システムにログインしたか、換言すれば「ログインした利用者がいるか」をチェックしている。正確には、「ログインした利用者がいるか」は割り込み処理として扱われるが、説明を簡略にするために、このようなフローチャートで説明する。
なお、利用者側の端末のインターフェイスであるホームページにおいては、ログインに際して、図７のホームページ画面１００が表示されることになる。１０１は「お客様ログイン」のオプションボックス、１０２は「新規入会」のオプションボックス、１０３は「事業案内」のオプションボックス、１０４は「会社概要」のオプションボックスであり、これらのいずれかのオプションにチェックがついた状態で、ＯＫボタン１０５をクリックすることになる。なお、１０６はキャンセルボタンであり、これをクリックするとサービスを終了させることができる。
【００２２】
もしも「ログインした利用者がいるか」の答えが「Ｎｏ」の場合は、単にリターンする（ステップＳ２）。また、「Ｙｅｓ」の場合にはステップＳ３に進み、自動案内システムへのログイン処理が行われる。これは、利用者端末から、ＩＤとパスワードを入力することになる。
図８は、図７において「お客様ログイン」のオプションボックス１０１を選択して、ＯＫボタン１０５をクリックした時に移行する認証画面１１０が示されている。ログインＩＤ欄の１１１とパスワード欄の１１２にログインＩＤを入力する。図８の実施例としては、ログインＩＤとして「ｐａｔｂａｎｋ」が入力され、パスワードとして「９８７６５」が入力されているが、パスワード欄は他人から見られないようにアスタリスク「＊」で隠されることになる。
そしてＯＫボタン１１３とキャンセルボタン１１４が表示される。ＩＤとパスワードが正しければログインは成功する。
ログインに成功すると、ホームページにトップ画面１２０が表示される。例えば画面左側にはコマンドボタン１２１〜１２６が表示されることになる。これは、使い方を説明してもらえるボタン１２１と、フリーキーワードで対話者データベースの中から検索する検索ボタン１２２と、免責事項が表示されるボタン１２３と、Ｑ＆Ａが表示されるボタン１２４とトップページへ戻るボタン１２５とサービス開始ボタン１２６が表示されている。また画面中央には更新履歴１２７が表示される。
【００２３】
ステップＳ４においては、ホームページと音声通話ソフトが連動すると記述されている。特許請求の範囲に準じて説明すると、ホームページとは、「少なくとも１以上の利用者端末と少なくとも１以上の対話者端末とをインターネットを介して接続できるＷｅｂ上のインターフェイス」のことを指す。
また音声通話ソフトとは、Ｐ２Ｐ技術を利用した複数の人が同時に通話可能な音声通話ソフト１０のことを指す。
【００２４】
ステップＳ５では、ホームページ（インターフェイス）に、ジャンルを表示し、利用者がジャンルを選べるように構成している。
これを図１０にて説明する。このジャンル別に整頓されたホームページ１３０は、例えば以下のような構成を備えている。
仕事ジャンル１３１、趣味ジャンル１３２、乗り物ジャンル１３３、健康ジャンル１３４、教育ジャンル１３５、資格ジャンル１３６である。
例えば、仕事ジャンル１３１には、弁護士、弁理士、司法書士、税理士などの分野が展開されている。趣味ジャンル１３２には、コンピューター、読書、音楽などの分野が展開されている。乗り物ジャンル１３３には、車、バイク、ボートなどなどの分野が展開されている。
また、健康ジャンル１３４には、医師、看護士、ダイエットなどの分野が展開されている。教育ジャンル１３５には、英会話、ＳＰＩなどなどの分野が展開されている。資格ジャンル１３６には、ＴＯＥＩＣやＴＯＥＦＬなどの分野が展開されている。
【００２５】
ステップＳ５では、ジャンルが一致し、なおかつオンラインの対話者の一覧を表示する。  図１１において、画面を説明する。例示したホームページ１４０においては、仕事ボタン１４１の中の弁理士分野１４２が選択されたものを示す。そして、Ｐ２Ｐ技術を応用した複数の人が同時に通話可能な音声通話手段を用いて、このＷｅｂ上の自動案内システムにログインしている対話者を、１４３，１４４，１４５，１４６，１４７のウィンドウで示す。なお、１４８で示す「次」ボタンをクリックして、一画面に表示しきれない対話者の候補を表示しても良い。
この対話者の表示手段は、利用者の対話者に対する評価手段を設け、その評価と連動して、インターフェイスに表示する対話者の表示順序を入れ替えるように構成する。あるいは、対話者へのアクセス数をカウントし、そのカウント数と連動して、インターフェイスに表示する対話者の表示順序を入れ替えるように構成する。またこれらを両方とも勘案して表示するようにしても良い。
【００２６】
これらの対話者のうち図１１におけるウィンドウ１４３の構成を図１２において詳しく説明する。この画面においては、まず写真や似顔絵「（Ｃ）２００５，Ｈ．ＫＯＢＡＹＡＳＨＩ」などでも良いである１５０と、キャッチフレーズ１５１（例えば「仕事が速い」）と氏名１５２（例えば山田太郎）が表示される。
そして経歴欄１５３において、過去の経歴が表示される。例えば「経歴：１９８７年Ｒ大学法学部卒  １９９７年弁理士試験合格」といったものである。
得意分野１５４を表示する欄１５４（例えば、「得意分野：メカ、メカトロニクス等」や実績を表示する欄１５５（例えば、「実績：０３年Ｓ社の裁判に勝訴」）が存在する。
図に１５６で示すのは、この弁理士に対する利用者からの評価を星印「★」の個数で表わしたものである。なお、この星印が多い対話者ほど、対話者一覧の先頭に表示するように構成しているわけである。また、図にＲで示すのは、この弁理士を利用した場合の一分当たりの課金金額である。
ボタンとしては、利用者からの評判をチェックするボタン１５７と対話者にメールを送る手段１５８、接続ボタン１５９を備えている。この接続ボタンを押すと対話者を利用者が指定したことになる。
【００２７】
ステップＳ７では「対話者が利用者により指定されたか。」をチェックしている。もしも、「キャンセル」ならば、ステップＳ８でリターンすることになる。Ｙｅｓならば、ステップＳ９において、対話者端末に利用者情報を表示することになる。換言すれば、利用者情報を対話者の端末に表示するものである。
【００２８】
ステップＳ１０においては、「対話業務が開始された対話者はホームページ上で自動的にログオフ状態として表示。」している。これは換言すれば、前記インターフェイス上において、対話者一覧のうちで、対話業務を開始した対話者がログオフ状態として表示されることを指す。
【００２９】
次のステップＳ１１においては、丸数字の１に続くと記述されている。これは別に示したフローチャートである図５のＺ１に続くことを示す。
【００３０】
実施例の概要を把握していただくために、図５における対話業務ならびに、課金システムのフローチャートを示す。この図５のフローチャートは丸数字の１をステップＺ１として示した。
ステップＺ２においては、対話者との接続時間の記録開始が行われる。ステップＺ３において対話者に接続される。
さらにステップＺ４によって課金が開始される。本発明の実施例では計時手段で課金しているが、例えば利用者は一定期間で契約して、対話者に対して、毎月に一定の顧問料を支払うように構成しても良い。また、その場合も、一定期間（例えば一ヶ月）単位の利用時間に応じて、課金を増減させるように計時手段を利用しても良い。
さらに、課金金額は一案件ごとに「×時間まで×万円」といったように、計時時間を参考にして、計算するように構成しても良い。
その課金額は対話者のスキルに応じて時間当たりの課金金額を変化させる。例えば３０分間、特許に関して利用者が対話者である弁理士と話す場合の課金金額と、医者と話す場合の課金金額と、ダイエットの専門家と話す場合の課金金額が違うように設定し、サービスによって課金金額を変更するように構成する方が対話者のスキルに応じた課金金額にすることができる。
あるいは、対話者をシステム側で用意し、利用者はジャンルに応じて、基本的に毎月の利用料のみシステムに徴収され、利用者がどの対話者とどれくらい話すかに関わらず、月額で一定金額を課金しても良い。
【００３１】
なお、この課金の開始は、利用者が対話者選定後、接続ボタンを押してすぐ分数の記録や課金を開始しても良いが、以下のように構成しても良い。すなわち、最初の１０分程度は対話内容の説明時間とし、接続開始から１０分経過後に記録時間と課金が開始される構成としても良い。このように構成することで、万一対話者の方で荷が重い対話内容であっても、利用者に金銭的負担をかけることなく別の対話者に当たってもらうことができるのである。
【００３２】
ステップＺ５によってホームページ（特許請求の範囲の記述ではインターフェイス）の上で、対話者との接続時間の表示が行われる。
【００３３】
ステップＺ６において、ホームページ（特許請求の範囲の記述ではインターフェイス）の上で、切断ボタン１８４が押されたか（クリックされたか）をチェックしている。答えが「Ｎｏ」ならば、通話は継続される。もしも切断ボタン１８４が押された場合には、ステップＺ７に進み、対話者との接続が停止される。
さらにステップＺ８において、対話者との接続時間の記録が停止される。さらにステップＺ９にて課金が停止される。課金が停止されたことをホームページ（特許請求の範囲の記述ではインターフェイス）の上で表示するように構成しても良い。
【００３４】
ステップＺ１０において、対話を終えた対話者は、ログイン状態として、ホームページ（特許請求の範囲の記述ではインターフェイス）に表示される。その後に「リターン」してサブルーチンを抜けることになる。
【実施例２】
【００３５】
図６に実施形態２の構成図を示す。この図は対話者の自動案内システム５を主に説明したものである。１０はＰ２Ｐ技術を応用した複数の人が同時に通話可能な音声通話ソフトである。
本発明の自動案内システム５は以下の構成を備えている。
・利用者が予め入力したクレジットカード参照手段３１
・一定時間、課金しない手段３２
・自動案内システム対話に対する対話の課金手段３３
といった支払いを司るシステムが用意されている。
【００３６】
また、本発明の自動案内システム５は以下の構成を備えている。
・利用者の氏名や業種や要求するスキルを記憶する利用者データベース３４
・利用者が自動案内システムを使用している時間を計時してインターフェイスに表示する計時手段３５
・利用者が自動案内システムにログインできる手段３６
・利用者データベース３４に基づいて、利用者の情報を表示する利用者情報表示手段３７
といった利用者のログインに関連するシステムが用意されている。
なお、ＩＤを発行する手段は、単にＩＤを発行するだけではなく、そのパスワードも発行するようにする方が望ましい。第三者が勝手にＩＤを利用する事態を回避できるからである。
【００３７】
また、本発明の自動案内システム５は以下の構成を備えている。
・対話者の自動案内システムのインターフェイス３８である。これは実際に運用される場合には、いわゆるホームページという形で提供される。
【００３８】
また、本発明の自動案内システム５は以下の構成を備えている。
・対話者と利用者の氏名やスキルなどを記憶する対話者データベース４０
・対話者のプロフィール検索手段４１
・対話者の表示手段４２
・対話者の選択手段４３
・対話者との接続手段４４
・対話者を前記対話者の自動案内システムのインターフェイス３８でログオフと表示させる手段４５
である。
【００３９】
この中でプロフィール検索手段４１は、フリーキーワードで対話者のプロフィールを検索するように構成するか、ジャンルを絞って検索するようにしても良い。
図１３において、プロフィール検索時のホームページ１６０を示す。ここには、キーワード入力欄１６３、１６４、１６５があり、これらでＡＮＤ検索が可能に構成されている。またジャンル指定欄１６６はドロップダウンリストになっており、例えば右の下向き矢印をクリックすることで、予め定められた項目から選ぶことができる。例えば、ジャンルとしては「仕事」「趣味」「健康」「スクール」「指定せず」といった選択肢が用意されている。
また地域指定欄１６７もドロップダウンリストになっており、例えば右の下向き矢印をクリックすることで、予め定められた項目から選ぶことができる。例えば、地域としては「北海道」「東北」「関東」「中部」「北陸」「関西」「三陽」「山陰」「四国」「九州」「沖縄」「指定せず」といった選択肢が用意されている。
また料金指定部１６８は、１分間の料金を例えば「１０円〜５０円」といったように指定することができる。
このように検索条件を入力してから、検索ボタン１６１をクリックすることにより、指定した条件の対話者を検索できるように構成されている。なお、キャンセルボタン１６２をクリックすることにより、検索画面を閉じることが可能となっている。このように、キーワード、ジャンル、地域、料金を指定して検索できることにより、利用者が求める適切な対話者を探し出すことが容易になる効果がある。
【００４０】
なお、対話者は一人だけと決めるのではなく、例えば利用者が対話者として弁理士や特許調査会社を相手に同時に通話するように構成することも可能である。この場合は、公知技術に関する情報を特許調査会社が説明し、それに対して弁理士がコメントし、どの権利範囲までなら特許取得が可能なのかを利用者を交えて三者で会談することが可能である。
また例えば、「起業家パック」というように、例えば起業家のために対話者として、税理士や弁理士をワンセットにして、パッケージ化して利用できるように構成しても良い。
【００４１】
図１４に示したのは、通話の音声をテキスト認識して蓄積し、そのテキストの内容を検索するホームページの画面１７０である。１７１は検索ボタン、１７２はキャンセルボタン、１７３と１７４は、検索するキーワードを入力する欄である。
この実施例においては、検索キーを「公知例」にしているので、検索結果表示部である１７５に結果が大きな文字で、表示されている。この場合はキーワードの「公知例」を大文字で表示させたが、例えば赤色にするなどして構成しても良い。
【産業上の利用可能性】
【００４２】
インターネットを利用する電話機能を備え、複数の人が同時に通話可能なＰ２Ｐ技術を応用した音声通話手段を備えたものであれば、パソコンはもちろん、他のシステムにも適用できる。またこの機能を備えているものならば、例えば携帯電話の高機能化により組み込める可能性もある。
【図面の簡単な説明】
【００４３】
【図１】本発明を利用した全体説明図である。
【図２】従来技術の説明図である。
【図３】本発明の構成を示す図である。
【図４】本発明の制御フローチャートを示す図である。
【図５】本発明の制御フローチャートを示す図である。
【図６】本発明の別構成を示す図である。
【図７】本発明のインターフェイスであるホームページの画面を示す図である。
【図８】本発明のインターフェイスであるホームページの画面を示す図である。
【図９】本発明のインターフェイスであるホームページの画面を示す図である。
【図１０】本発明のインターフェイスであるホームページの画面を示す図である。
【図１１】本発明のインターフェイスであるホームページの画面を示す図である。
【図１２】本発明のインターフェイスであるホームページの画面を示す図である。
【図１３】本発明のインターフェイスであるホームページの画面を示す図である。
【図１４】本発明のインターフェイスであるホームページの画面を示す図である。
【符号の説明】
【００４４】
５  対話者の自動案内システム
１０  Ｐ２Ｐ技術を応用した複数の人が同時に通話可能な音声通話手段（ソフト）
１４  利用者データベース
１５  計時手段
１６  ログイン手段
１８  対話者の自動案内システムのインターフェイス（ホームページ）
２０  対話者のデータベース
２１  対話者のジャンル指定手段
２２  対話者の表示手段
２３  対話者の選択手段
２４  対話者との接続手段
２５  対話者をログオフであると表示させる手段
【図１】
2007184802.tif 000003
【図２】
2007184802.tif 000004
【図３】
2007184802.tif 000005
【図４】
2007184802.tif 000006
【図５】
2007184802.tif 000007
【図６】
2007184802.tif 000008
【図７】
2007184802.tif 000009
【図８】
2007184802.tif 000010
【図９】
2007184802.tif 000011
【図１０】
2007184802.tif 000012
【図１１】
2007184802.tif 000013
【図１２】
2007184802.tif 000014
【図１３】
2007184802.tif 000015
【図１４】
2007184802.tif 000016